(57)【要約】　　　（修正有）【課題】プリンタの接続状況を自動検地し、プリンタ接続時には、印刷を行い、未接続又は電源ＯＦＦ時には印刷予約マークをつけることにより、印刷ボタンを再度押さず、簡単に行うこと。【解決手段】印刷したい画像を選択する為の画像選択ボタン・画像選択装置、印刷決定をする為の印刷ボタン、プリンタ接続検地装置、印刷予約マーク添付装置、印刷完了検地装置、印刷予約マーク消去装置を塔載することによって行う。【選択図】　　　　図１−１
2004030279.tif 000002
【特許請求の範囲】
【請求項１】
印刷画面を選択し印刷ボタンを押すことにより、自動的にプリンタとの接続状況を検地し、接続時はそのまま印刷し、未接続又はプリンタの電源ＯＦＦ時には、印刷予約マークをつけることを特徴とする印刷制御システム。
【請求項２】
請求項１記載の印刷制御システムにおいて、プリンタ接続時に印刷予約マークがついているものがあれば、自動的に印刷することを特徴とする印刷制御システム。
【請求項３】
請求項１記載の印刷制御システムにおいて、あらかじめ印刷ボタンを押した時の処理手順を登録することによって、自動的に処理できることを特徴とする印刷制御システム。
【請求項４】
請求項２記載の印刷制御システムにおいて、印刷完了した際に印刷予約マークを消すことを特徴とする印刷制御システム。
【請求項５】
請求項２記載の印刷制御システムにおいて、Ｗｅｂ上等に画像を転送完了した際に印刷予約マークを消すことを特徴とする印刷制御システム。
【発明の詳細な説明】
【０００１】
【発明の属する技術分野】
本発明は、印刷をする場合、プリンタが接続されていない又は電源がＯＦＦしている場合には、プリンタを接続した後に再度印刷画面を選択し印刷ボタンを押すという作業をする必要であったが、プリンタの接続状況を自動検地し、プリンタ接続時には、印刷を行い、未接続又は電源ＯＦＦ時には印刷予約マークをつけることにより、印刷ボタンを再度押さず、簡単に行えるという印刷制御システムである。
【０００２】
無線ＬＡＮやＩｒＤＡやＢｌｕｅｔｏｏｔｈでの接続等、ケーブル以外での接続も検地することにより、プリンタ接続時には自動的に印刷予約マークがついた画像を印刷することが可能となる。
【０００３】
このシステムを使うことにより、今まで無駄になっていた、プリンタ未接続又は電源ＯＦＦ時の印刷作業を、印刷したい画面を選択し、印刷ボタンを押すことによって、簡単に印刷を実行することが可能となる。
【０００４】
また、印刷実行されたことが確認された後、印刷予約マークを消すことにより、重複印刷を簡単に防ぐこともできる。
【０００５】
【従来の技術】
従来、印刷をする場合、プリンタが接続されていない又は電源がＯＦＦしている場合には、プリンタを接続した後に再度印刷画面を選択し印刷ボタンを押すという作業が必要であった。
【０００６】
【発明が解決しようとする課題】
従来、印刷をする場合、プリンタが接続されていない又は電源がＯＦＦしている場合には、プリンタを接続した後に再度印刷画面を選択しなおし、印刷ボタンを押すという作業が必要であり、印刷画面を設定する際に間違った印刷をしたり、重複印刷をするという問題点があった。
【０００７】
本発明では、プリンタの接続状況を自動検地し、プリンタ接続時には、印刷を行い、未接続又は電源ＯＦＦ時には印刷予約マークをつけることにより、印刷ボタンを再度押さず、簡単に行うことが可能となる。
【０００８】
また、無線ＬＡＮやＩｒＤＡやＢｌｕｅｔｏｏｔｈでの接続等、ケーブル以外での接続も検地することにより、ケーブル以外のプリンタにも自動的に印刷予約マークがついた画像を印刷することが可能となる。
【０００９】
また、プリンタ等の印刷終了を確認した後や、携帯等を使ったＷｅｂ上への貼り付け等が完了したことを確認した後に、印刷予約マークを消すことにより、重複印刷を簡単に防ぐことも可能となる。
【００１０】
このことにより、上記問題を解決する印刷制御システムを提供することを目的としている。
【００１１】
【課題を解決するための手段】
そこで、本発明では、印刷したい画像を選択する為の画像選択ボタン・画像選択装置、印刷決定をする為の印刷ボタン、プリンタ接続検地装置、印刷予約マーク添付装置、印刷完了検地装置、印刷予約マーク消去装置を塔載することによって行う。
【００１２】
すなわち、本発明の技術内容は以下の構成を備えることにより前記課題を解決できた。
【００１３】
（１）印刷画面を選択し印刷ボタンを押すことにより、自動的にプリンタとの接続状況を検地し、接続時はそのまま印刷し、未接続又はプリンタの電源ＯＦＦ時には、印刷予約マークをつけることを特徴とする印刷制御システム。
【００１４】
（２）前記（１）記載の印刷制御システムにおいて、プリンタ接続時に印刷予約マークがついているものがあれば、自動的に印刷することを特徴とする印刷制御システム。
【００１５】
（３）前記（１）記載の印刷制御システムにおいて、あらかじめ印刷ボタンを押した時の処理手順を登録することによって、自動的に処理できることを特徴とする印刷制御システム。
【００１６】
（４）前記（２）記載の印刷制御システムにおいて、印刷完了した際に印刷予約マークを消すことを特徴とする印刷制御システム。
【００１７】
（５）前記（２）記載の印刷制御システムにおいて、Ｗｅｂ上等に画像を転送完了した際に印刷予約マークを消すことを特徴とする印刷制御システム。
【００１８】
【発明の実施の形態】
図１−１に、本発明の構成図（１）を示す。
【００１９】
本発明のプログラムはＲＯＭに入っている。ＲＯＭからプログラムを呼び出し、作業を行う。音声発生装置はエラー処理の際に音によって知らせる時と共に、音声を発生する装置として使用する。画像装置は、画像を表示するものとして搭載している。
【００２０】
接続機器を自動的に検地するために、無線機器及びケーブル機器の検地装置を搭載する。
【００２１】
印刷したい画像を選択・決定（入力）する装置として、印刷決定装置と画像選択装置を搭載する。この装置により、印刷したい画像を選ぶことができる。そして、データ転送装置を用い、ケーブル又は無線を用いて、画像を転送することができる。また、印刷処理検地装置を搭載することにより、印刷マークを消す等の処理を行うことが可能となる。
【００２２】
図１−２に、本発明の構成図（２）を示す。
【００２３】
図１−１との違いは、画像撮影・保存装置が追加されたことである。追加されたところだけ説明をする。
【００２４】
本発明の構成図（２）の追加部分である画像撮影装置と画像保存装置を搭載することにより、画像を撮ってすぐ、印刷という処理を簡単に行うことが可能となる。これは、デジタルカメラ等の画像を撮影する機器や画像を取り込むことができるＷｅｂや携帯電話やモバイル端末等で考えることができる。
【００２５】
実施例についてはフローチャートを用いて説明する。
【００２６】
図２に本発明の概略フローチャートを示す。
【００２７】
まず、印刷画面の選択（２−１）を行う。その後プリンタ検地処理（２−２）を行い、プリンタの検地処理（２−２）によってプリンタが接続されていた場合（検地したプリンタのデータが保存されている場合）はそのプリンタに対して印刷処理（２−４）を行い終了する。プリンタ未接続又は電源がＯＦＦ等により検地できなかった場合は、印刷したい画像に印刷予約マークをつけ（２−５）終了する。
【００２８】
プリンタ検地により、複数台のプリンタが検地された場合は、優先順位により自動的に選択するか、ユーザーにより選択するこもと可能である。
【００２９】
図３にプリンタ検地処理のフローチャートを示す。
【００３０】
プリンタの検地（３−１）を行う。この検地により検地できた場合は、検地したプリンタのデータ保存を（３−３）行う。その後、他にプリンタがないか確認（３−４）を行い、ない場合は終了する。あった場合は、プリンタ検地（３−１）を行い、同様の動作を行う。全てのプリンタ検地が終了した場合は終了する。
【００３１】
図４に自動処理登録処理のフローチャートを示す。
【００３２】
まず、現在の登録処理を利用（確認）するかの判断（４−１）を行う。ここで、すでに登録された処理を利用（確認）する場合は、現在設定されている登録処理の表示（４−９）を行い、その後この登録処理を利用するかの判断（４−１０）を行い、このまま利用する場合は、終了する。
【００３３】
登録された設定を変更する場合は、接続先優先度の登録（４−２）を行い、その後、予約マーク処理の登録（４−３）を行う。
【００３４】
そして、登録した設定を表示（４−４）し、この登録で設定する場合は、登録（４−６）を行い、終了する。登録した設定をよくない場合は、再度登録しなおすかの判断（４−７）を行い、ここで登録しなおさない場合は、エラー処理（４−８）をおこない、終了する。
【００３５】
再度登録しなおす場合は、再び、の接続先優先度の登録（４−２）より、設定処理をはじめる。
【００３６】
図５に接続優先度の登録処理のフローチャートを示す。
【００３７】
まず、現在の登録処理を利用（確認）するかの判断（５−１）を行う。ここで、すでに登録された処理を利用（確認）する場合は、現在設定されている登録処理の表示（５−８）を行い、その後この登録処理を利用するかの判断（５−９）を行い、このまま利用する場合は、終了する。
【００３８】
登録されていた設定を変更する場合は、優先順位の順番付けの入力（５−２）を行う。ここで、近い・遠いやカラー・モノクロや解像度が高い・低いなど、いろんな選択条件に応じて、優先順位をつける。例えば、近い方を優先とか、カラーを優先など、それとともに距離が一番高い優先度であるなどの優先順位をつける。このことにより、同じ機種だけでなく、多数の機種と接続されている場合において、１枚だけ一番優先順位の高いプリンタに印刷することが可能となる。同様に、優先順位３位以内は印刷するなど、あらゆる設定が可能になるといえる。
【００３９】
次に、登録した優先順位設定を表示（５−３）し、この設定内容でよいかの判断（５−４）をおこない、この設定でいい場合は、設定の登録（５−５）を行い終了する。
【００４０】
登録した設定でよくない場合（５−４）は、再度設定しなおすかの判断（５−６）をおこない、設定しなおさない場合は、エラー処理（５−７）をおこない、終了する。
【００４１】
再度登録しなおす場合は、再び、優先順位の順番付けの入力（５−２）より、設定処理をはじめる。
【００４２】
図６に予約マーク処理登録システムのフローチャートを示す。
【００４３】
まず、現在の登録処理を利用（確認）するかの判断（６−１）を行う。ここで、すでに登録された処理を利用（確認）する場合は、現在設定されている登録処理の表示（６−９）を行い、その後この登録処理を利用するかの判断（６−１０）を行い、このまま利用する場合は、終了する。
【００４４】
登録されていた登録された設定を変更する場合は、プリンタの接続時の設定（６−２）を行う。その後、プリンタ未接続時又は電源ＯＦＦ時の設定（６−３）を行い。登録して設定の表示（６−４）を行う。
【００４５】
次にこの設定内容でよいかの判断（６−５）をおこない、この設定でいい場合は、設定の登録（６−６）を行い終了する。
【００４６】
登録した設定でよくない場合（６−５）は、再度設定しなおすかの判断（６−７）をおこない、設定しなおさない場合は、エラー処理（６−８）をおこない、終了する。
【００４７】
再度登録しなおす場合は、再び、プリンタ接続時の設定（６−２）より、設定処理をはじめる。
【００４８】
各種設定については、
プリンタ接続時（６−２）の設定の例
・印刷だけする
・印刷した後、印刷完了マーク又は印刷累計数等をつける
・印刷予約マークが付いているものは、自動的に印刷する
・印刷予約マークが付いているものは、画面表示をし、確認作業を行っ
てから、印刷する
プリンタ未接続時又は電源ＯＦＦ時（６−３）の設定の例
・印刷予約マークを付ける
等が考えられる。
【００４９】
【発明の効果】
以上に述べたように、本発明によれば、プリンタの接続状況を自動検地し、プリンタ接続時には、印刷を行い、未接続又は電源ＯＦＦ時には印刷予約マークをつけることにより、印刷ボタンを再度押さず、簡単に行うことが可能となる。
【００５０】
また、無線ＬＡＮやＩｒＤＡやＢｌｕｅｔｏｏｔｈでの接続等、ケーブル以外での接続も検地することにより、ケーブル以外のプリンタにも自動的に印刷予約マークがついた画像を印刷することが可能となる。
【００５１】
また、プリンタ等の印刷終了を確認したり、携帯等を使ったＷｅｂ上への貼り付け等が完了したことを確認した後、印刷予約マークを消すことにより、重複印刷を簡単に防ぐことも可能となる。
という、効果が得られる。
【図面の簡単な説明】
【図１−１】本発明の構成図（１）
【図１−２】本発明の構成図（２）
【図２】本発明による概略フローチャート
【図３】プリンタ検地処理のフローチャート
【図４】自動処理登録のフローチャート
【図５】接続先優先度登録のフローチャート
【図６】予約マーク処理登録のフローチャート
【図１−１】
2004030279.tif 000003
【図１−２】
2004030279.tif 000004
【図２】
2004030279.tif 000005
【図３】
2004030279.tif 000006
【図４】
2004030279.tif 000007
【図５】
2004030279.tif 000008
【図６】
2004030279.tif 000009